(57)【要約】【課題】人が常時必要でなくて作業性が良く、切断時の音が消音で、かつ削りカスが生じることなく、鋼管杭を切断することができるとともに、その際に任意の高さで鋼管杭を切断することができ、そして、切断刃がぶれることがなく水平度高くきれいに切断することができる鋼管杭切断装置を提供すること。【解決手段】軟弱地盤対策として打ち込まれた鋼管杭１０１を打ち込み方向と直交方向に切断する鋼管杭切断装置１００であって、鋼管杭１０１に取付けられる支持部１０と、支持部１０上で回転体２１を有し、回転体２１を駆動する駆動部２０と、回転体２１に取着されて前記鋼管杭１０１の周壁１０２を回転して鋼管杭１０１を切断する切断部３０とから成る。【選択図】  図１
2004230491.tif 000002
【特許請求の範囲】
【請求項１】
軟弱地盤対策として打ち込まれた鋼管杭を打ち込み方向と直交方向に切断する鋼管杭切断装置であって、
前記鋼管杭に取付けられる支持部と、
前記支持部上で回転体を有し、この回転体を駆動する駆動部と、
前記回転体に取着されて前記鋼管杭の周壁を回転して該鋼管杭を切断する切断部と
から成ることを特徴とする鋼管杭切断装置。
【請求項２】
支持部、駆動部、切断部は、それぞれ着脱可能な別体構成であることを特徴とする請求項１記載の鋼管杭切断装置。
【請求項３】
支持部は、駆動部を支持する基台と、その基台を鋼管杭の周壁に固定する固定具とを備えていることを特徴とする請求項１又は２に記載の鋼管杭切断装置。
【請求項４】
切断部は、長孔を有しており、該長孔を介して駆動部との取着が位置調整可能に構成してあることを特徴とする請求項１〜３の何れかに記載の鋼管杭切断装置。
【請求項５】
切断部は、切断刃を複数有することを特徴とする請求項１〜４の何れかに記載の鋼管杭切断装置。
【請求項６】
切断部は、鋼管杭の切断に応じ切断刃の位置調整機構を備えていることを特徴とする請求項１〜５の何れかに記載の鋼管杭切断装置。
【請求項７】
切断部には、切断刃により形成されたバリを除去するバリ取り機構を備えていることを特徴とする請求項１〜６の何れかに記載の鋼管杭切断装置。
【請求項８】
バリ取り機構はローラ形状であることを特徴とする請求項７に記載の鋼管杭切断装置。
【請求項９】
バリ取り機構は切削バイト形状であることを特徴とする請求項７に記載の鋼管杭切断装置。
【請求項１０】
切断刃はソロバン玉状であることを特徴とする請求項５記載の鋼管杭切断装置。
【請求項１１】
切断刃は切削バイトであることを特徴とする請求項５記載の鋼管杭切断装置。
【発明の詳細な説明】
【０００１】
【発明の属する技術分野】
本発明は、軟弱地盤対策として打ち込まれた鋼管杭の地盤から突出した部分を切断する鋼管杭切断装置に関する。
【０００２】
【従来の技術】
【０００３】
軟弱地盤を改良する手段として、土そのものにコンクリート等の硬化剤を混入して硬質化させる方法もあるが、地盤に鋼管杭を打ち込んでその先端を岩盤に到達させ、これらの鋼管杭によって軟弱地盤の上に構築させる建築基礎を安定化させるのが効果的である。
【０００４】
このような鋼管杭は、建築基礎の支えともなるものであって、地面より突出することが多い。このため、打ち終わった鋼管杭の地盤より突出した部分は不要な部分であるから、この地盤からの突出部分を切断する所謂「抗頭処理」が施されなければならない。
【０００５】
この種の鋼管杭のための従来の「抗頭処理」としては、鋼管杭をその周壁側からガスバーナー、チェンソー、又はチップソー等で切断して処理していた。
【０００６】
このうち、ガスバーナーは、「抗頭処理」に用いられる使用率が最も高く、全体の９０％以上を占めている。
【０００７】
また、上記以外のものとして、鋼管杭をその内壁側から切断していく鋼管杭切断機も提案されている（特許文献１参照）。
【０００８】
【特許文献１】特開２００２−２１０６１１号公報（請求項１，第１図〜第３図）鋼管杭の抗頭切断装置及び鋼管切断装置
【特許文献２】特開平１１−１８８５２６号公報（請求項１，第１図〜第３図）鋼管杭切断装置の取付具
【０００９】
【発明が解決しようとする課題】
しかしながら、ガスバーナー方式は、ガスボンベを必要とし、このガスボンベからガスバーナーまで所定長さのホースを引き回さなければならず、この引き回し作業は非常に手間がかかり煩雑である。また、ガスバーナーの作業中にはそのホースが作業の邪魔にならないようにしなければならず、使い勝手が悪く不便でありその切断作業の作業性は良くなかった。さらに、ガスバーナーによる切断作業は、火力を用いることから、爆発等の危険性が高く、その作業中必ず人が必要であり取扱いに常に注意を要する。
【００１０】
一方、上記チェンソー等は、鋼管杭を切断する際に、回転機構により回転刃を回転させるために、切断時の音がうるさいし、削りカスが出て環境に良くない。
【００１１】
また、特許文献１の鋼管杭切断機は、回転刃を保持する機構を抗頭から鋼管杭内に落とし込める深さが所定深さに限られるため、所定深さ以降には回転刃が届かず、切断できる鋼管の長さが一定長さに限られていた。仮に、抗頭から深い位置で切断できるように回転刃を保持する機構の回転シャフトを長くした場合には、回転刃がぶれてしまい、抗頭を水平度高くきれいに切断することができない。
【００１２】
そこで、本発明は以上のような問題点に鑑みてなされたものであり、本発明が、解決しようとする課題は、人が常時必要でなくて作業性が良く、切断時の音が消音で、かつ削りカスが生じることなく鋼管杭を切断することができるとともに、その際に上下自在に任意の高さで鋼管杭を切断することができ、そして、回転刃がぶれることがなく水平度高くきれいに切断することができる鋼管杭切断装置を提供することである。
【００１３】
【課題を解決するための手段】
上記課題を解決するため、本願請求項１記載の発明に係る鋼管杭切断装置は、図面に使用する符号を付して説明すると、「軟弱地盤対策として打ち込まれた鋼管杭１０１を打ち込み方向と直交方向に切断する鋼管杭切断装置１００であって、前記鋼管杭１０１に取付けられる支持部１０と、前記支持部１０上で回転体２１を有し、この回転体２１を駆動する駆動部２０と、前記回転体２１に取着されて前記鋼管杭１０１の周壁１０２を回転して該鋼管杭１０１を切断する切断部３０とから成る」ところに特徴を有するものである。
【００１４】
請求項１の手段によれば、支持部１０によって駆動部２０及び切断部３０を鋼管杭１０１の上下任意の高さに支持し、駆動部２０の回転体２１に取着された切断部３０が、回転体２１の回転に伴って鋼管杭１０１の周壁１０２を回転しながら切断することができるのである。
【００１５】
また、請求項２記載の発明に係る鋼管杭切断装置は、請求項１記載の鋼管杭切断装置１００において、「支持部１０、駆動部２０、切断部３０は、それぞれ着脱可能な別体構成である」ところに特徴を有するものである。
【００１６】
さらに、請求項３記載の発明に係る鋼管杭切断装置は、請求項１又は２に記載の鋼管杭切断装置１００において、「支持部１０は、駆動部２０を支持する基台１１と、その基台１１を鋼管杭１０１の周壁１０２に固定する固定具１２とを備えている」ところに特徴を有するものである。
【００１７】
請求項４記載の発明に係る鋼管杭切断装置は、請求項１〜３の何れかに記載の鋼管杭切断装置１００において、「切断部３０は、長孔３１を有しており、該長孔３１を介して駆動部２０との取着が位置調整可能に構成してある」ところに特徴を有するものである。
【００１８】
請求項５記載の発明に係る鋼管杭切断装置は、請求項１〜４の何れかに記載の鋼管杭切断装置１００において、「切断部３０は、切断刃３２を複数有する」ところに特徴を有するものである。
【００１９】
請求項６記載の発明に係る鋼管杭切断装置は、請求項１〜５の何れかに記載の鋼管杭切断装置１００において、「切断部３０は、鋼管杭１０１の切断に応じ切断刃３２の位置調整機構３３を備えている」ところに特徴を有するものである。
【００２０】
請求項７記載の発明に係る鋼管杭切断装置は、請求項１〜６の何れかに記載の鋼管杭切断装置１００において、「切断部３０には、切断刃３２により形成されたバリを除去するバリ取り機構３４を備えている」ところに特徴を有するものである。
【００２１】
請求項８記載の発明に係る鋼管杭切断装置は、請求項７記載の鋼管杭切断装置１００において、「バリ取り機構３４はローラ形状である」ところに特徴を有するものである。
【００２２】
請求項９記載の発明に係る鋼管杭切断装置は、請求項７記載の鋼管杭切断装置１００において、「バリ取り機構３４は切削バイト形状である」ところに特徴を有するものである。
【００２３】
請求項１０記載の発明に係る鋼管杭切断装置は、請求項５記載の鋼管杭切断装置１００において、「切断刃３２はソロバン玉状である」ところに特徴を有するものである。ここで、ソロバン玉状とは、２つの円錐台の底面を相互に貼り合わせたような形状であって、軸線上に貫通孔を設けたものをいう。
【００２４】
請求項１１記載の発明に係る鋼管杭切断装置は、請求項５記載の鋼管杭切断装置１００において、「切断刃３２は切削バイト３６である」ところに特徴を有するものである。
【００２５】
【発明の実施の形態】
本発明の実施の形態を実施例に基づいて図面を参照して説明する。
（実施例１）
図１には、軟弱地盤に、建築基礎の下に設置されるべく打ち込まれた鋼管杭１０１と、その鋼管杭１０１の地盤からの突出部分に、鋼管杭１０１をその打ち込み方向と直交方向に切断する、本発明に係る鋼管杭切断装置１００が取付けられた状態が示してある。なお、本発明品は、本願請求項１〜７及び１０の発明をすべて含むものである。
【００２６】
鋼管杭切断装置１００は、鋼管杭１０１に取付けられる支持部１０と、支持部１０上で回転体２１を有し、回転体２１を駆動する駆動部２０と、回転体２１に取着されて前記鋼管杭１０１の周壁１０２を回転して鋼管杭１０１を切断する切断部３０とから成る。なお、支持部１０，駆動部２０，切断部３０は、それぞれ別体に構成してある。
【００２７】
支持部１０は、図２に示すように、駆動部２０を支持する基台１１と、その基台１１を鋼管杭１０１の周壁１０２に固定する固定具１２とからなる。そして、基台１１には、支持部１０と駆動部２０とを着脱可能とするために、上方方向へ突起しワッシャ等の円盤状物が取付けられた係合突起物１３を形成してある。
【００２８】
駆動部２０は、図３に示すように、鋼管杭１０１の周壁１０２を回転する回転体２１を有し、この回転体２１を駆動するギヤードモータ２２を取付けてある。そして、駆動部２０には、駆動部２０と支持部１０とを着脱可能とするために、支持部１０の突起物１３が挿通可能な挿通孔２４が形成してあり、また、回転体２１には、駆動部２０と切断部３０とを着脱可能とするために、上方方向に突起する突起物２３が形成してある。なお、ギヤードモータ２２を、本例のように、小径の歯車２５を介して回転体２１と歯合するように取付けてあると、小さな駆動力で回転体２１を駆動することができ、また速く回転しすぎると歯が痛むという観点からも低回転が良く駆動効率が良い。さらに、ギヤードモータ２２の取付け位置を、駆動部２０の下側ではなく、図１１に示すように上側に取付ければ、略地面高さで鋼管杭１０１に取付けることができ、鋼管杭１０１の周囲の土を掘り下げなくても鋼管杭１０１を切断できてさらに良い。
【００２９】
切断部３０は、図４に示すように、切断部３０の下面側に複数の長孔３１を形成してある。また、切断部３０は、切断刃３２を複数有し、３つの切断刃３２を鋼管杭１０１を挟持するように取付けてある。このうち、一の切断刃３２は、図５に示すように、鋼管杭１０１の切断に応じ切断刃３２の位置調整機構３３を介して鋼管杭１０１の中心軸方向に付勢し、周壁１０２を転動可能に取付けてある。例えば、位置調整機構３３はスプリングである。また、他の切断刃３２（３４），３２（３４）は、一の切断刃３２とは対峙する位置に取付具３５を介して取付けてあり、切断時の切断刃３２を支持すると共に、切断刃３２により形成されたバリを除去するバリ取り機構３４として機能する。
【００３０】
切断刃３２は、例えば略円盤状、ソロバン玉状、切削バイト状に形成し、その外周面に刃を形成したものが挙げられる。特に、図６に示すように、ソロバン玉状に形成した場合には、回転体２１の回転に伴って鋼管杭１０１の周壁１０２を転動することができ、鋼管杭１０１はこの転動に伴って切断されるので、切断時の切断音がより消音で、削りカスも生じることが少ないし、切断時間を短縮することができる。
【００３１】
次に、鋼管杭切断装置１００を用いて、鋼管杭１０１を切断する方法について詳細に説明する。まず、軟弱地盤に打ち込まれた鋼管杭１０１に、鋼管杭切断装置１００を取付ける方法について説明する。鋼管杭切断装置１００を、鋼管杭１０１に、その抗頭から挿通し、切断高さに合わせて支持部１０を取付ける。そして、その上から、駆動部２０を載置し、基台１１の係合突起物１３と、駆動部２０に有する挿通孔２４とを係合させ、駆動部２０を回転させて固定する。さらに、回転体２１の突起物２３を、切断部３０に有する長孔３１に挿通させるようにして切断部３０を回転体２１上に載置すれば、図７に示すように、切断部３０が駆動部２０に有する回転体２１を介して駆動される状態となる。なお、ここで、取付具３５を締めつければ、切断刃３２がその中心軸方向に突出するように取付けてあるので、切断刃３２が周壁１０２に当接し鋼管杭１０１を挟持するようになる。
【００３２】
鋼管杭１０１の切断方法は、図８に示すように、ギヤードモータ２２を駆動させると、一点鎖線矢印で示す方向又は逆方向に、この駆動力が回転体２１を介して切断部３０が回転する。これにより、切断刃３２が周壁１０２の一線上を転動し、その際、切断刃３２は、実線矢印方向に、鋼管杭１０１の中心軸方向へ付勢されているので、周壁１０２上を転動する切断刃４０がその転動とともに周壁１０２を徐々に中心軸方向へ切断しながら、最終的に、鋼管杭１０１を切断することができる。
【００３３】
このように、鋼管杭切断装置１００によれば、ガスバーナーと異なり火力を使うことがないので、ボンベからホースを引き回す作業の手間もないし、火力を使うことによる爆発の危険性もない。さらに、駆動部２０により回転体２１を回転し始めれば、切断部３０が鋼管杭１０１の周壁１０２を回転しながら鋼管杭１０１を切断することができるので、回転体２１の回転駆動後から終了まで無人とすることができ作業性が良い。
【００３４】
また、切断刃３２を自ら高速回転させることなく、回転体２１の回転（低速であっても良い）に伴い、周壁１０２を転動して鋼管杭１０１を切断するので、切断時の音が消音で、かつ削りカスが生じることなく、鋼管杭１０１を切断することができる。また、その際に任意の高さで鋼管杭１０１を切断することができるし、回転刃がぶれることがなく水平度高くきれいに切断することができる。
【００３５】
また、支持部１０、駆動部２０、切断部３０は、それぞれ着脱可能な別体構成であるので、切断するときにはこれらを組合せて切断することができ、切断しないときにはこれらを別体にコンパクトにして移送又は保管ができる。勿論、これらが別体構成としてあることにより、修理の際や故障の際の交換時においては、全部材を交換しなくても一部分のみを交換して対応することができ、メンテナンス効率が良いと共に、コストパフォーマンスにも優れる。
【００３６】
さらに、支持部１０は、駆動部２０を支持する基台１１と、その基台１１を鋼管杭１０１の周壁１０２に固定する固定具１２とを備えているので、環状歯車１０を回転可能に下部から支持することができるとともに、鋼管杭１０１の周壁１０２に直接固定することができる。
【００３７】
そして、切断部３０は長孔３１を有しており、該長孔３１を介して駆動部２０との取着が位置調整可能に構成してあるので、鋼管杭１０１の太さ如何によらず切断部３０を駆動部２０に取付け、鋼管杭１０１を切断することができる。さらに、切断部３０は、切断刃３２を複数有するので、切断刃３２単数有する場合に比較して、回転体２１の回転に対する切断量を多くすることができ、切断効率が良い。また、切断部３０には、切断刃３２により形成されたバリを除去するバリ取り機構３４を備えているので、回転しながらバリを取り除くことができ、より削りカスが生じることがない。
【００３８】
（実施例２）
次に本発明に係る他の実施例を図面を参照して説明する。図９は、実施例２を示す図であり、バリ取り機構３４をローラ状の支持ローラ３４とした切断部３０を示す斜視図である。
【００３９】
支持ローラ３４は、図９に示すように、回転可能なローラであって、鋼管杭１０１の中心軸方向に突出するように取付け、取付具３５で締結可能としてある。回転体２１の回転に伴って支持ローラ３４が回転し、付勢された切断刃３２の転動を支持する。なお、取付具３５は、支持ローラ３４を保持するための金具であれば如何なるものであっても良く、支持ローラ３４の中心軸方向への突出長さを伸縮調整可能にしてあっても良い。伸縮可能にする手段としては、例えば伸縮長さ調整用の複数の調整孔とその調整孔に挿通して取付ける固定ピン、若しくはスリット等が挙げられる。
【００４０】
このように、バリ取り機構３４はローラ形状であるので、切断刃３２により切削された部位のみならず周壁１０２上にできたバリを周壁１０２に押さえつけて取り除くことができ、バリ取りの効率が良い。
【００４１】
（実施例３）
さらに本発明に係る他の実施例を図面を参照して説明する。図１０は、実施例３を示す図であり、バリ取り機構３４は切削バイト形状であり、切断刃３２は切削バイト３６である切断部３０を示す斜視図である。
【００４２】
切削バイト３６は、従来の技術であって、例えば荒削り用バイト、仕上げ用バイト等が挙げられる。すなわち、切断刃として、切削バイト３６を複数使用し、実施例２の支持ローラを兼用させたものである。
【００４３】
このように、バリ取り機構３４は切削バイト形状であるので、バリ取り機構３４が切断刃３２を兼用することができ、切断効率が良いし、支持ローラを削除することができ、コストダウンに寄与する。さらに、切断刃は切削バイト３６であるので、荒切り、仕上げ等の用途に応じ、また、材質により、適当な切削バイトを使用することにより、切削性を向上でき、バリ発生の抑制することができる。
【００４４】
以上、実施例に基づいて本発明を説明したが、本発明は上記実施例に何ら限定されるものではなく、本発明の趣旨を逸脱しない範囲内で種々の改良変形が可能である。
【００４５】
例えば、支持部１０を、少なくとも半割状に形成し、鋼管杭１０１を把持するよう構成すると、杭頭から挿通することなく、鋼管杭１０１の周壁１０２にチャック式で直接固定することができ、任意の上下高さに、ワンタッチで簡単かつ容易に取付けることができる。また取り外しもワンタッチで簡単かつ容易である。
【００４６】
また、駆動部２０は、切断部３０に駆動力を伝達するものであれば良く、図１１に示すようにチェーン２６であっても良いし、又は公知の技術であるスプリケットであっても良い。
【００４７】
また、切断部３０を上から覆うカバーを備えていると、回転体２１、切断刃３２、バリ取り機構３４の駆動部分に、指等を挟むことを防止することができる。また、カバーによって、防水又は防滴効果を奏することができ、雨などの天候が悪いときにおいても鋼管杭１０１を切断することができる。
【００４８】
【発明の効果】
請求項１記載の鋼管杭切断装置によれば、鋼管杭に取付けられる支持部と、前記支持部上で回転体を有し、この回転体を駆動する駆動部と、前記回転体に取着されて前記鋼管杭の周壁を回転して該鋼管杭を切断する切断部とから成るので、人が常時必要でなくて作業性が良く、切断時の音が消音で、かつ削りカスが生じることなく、鋼管杭を切断することができるという効果を奏する。また、その際に任意の高さで鋼管杭を切断することができるという効果を奏する。さらに、切断刃がぶれることがなく水平度高くきれいに切断することができるという効果を奏する。
【００４９】
請求項２記載の鋼管杭切断装置によれば、請求項１記載の鋼管杭切断装置の奏する効果に加えて、支持部、駆動部、切断部は、それぞれ着脱可能な別体構成であるので、切断するときにはこれらを組合せて切断することができ、切断しないときにはこれらを別体にコンパクトにして移送又は保管ができるという効果を奏する。
【００５０】
請求項３記載の鋼管杭切断装置によれば、請求項１又は２に記載の鋼管杭切断装置の奏する効果に加えて、支持部は、駆動部を支持する基台と、その基台を鋼管杭の周壁に固定する固定具とを備えているので、駆動部を支持しつつ、鋼管杭の周壁に直にかつ容易に、上下自在に固定することができるという効果を奏する。
【００５１】
請求項４記載の鋼管杭切断装置によれば、請求項１〜３の何れかに記載の鋼管杭切断装置の奏する効果に加え、切断部は、長孔を有しており、該長孔を介して駆動部との取着が位置調整可能に構成してあるので、鋼管杭の太さ如何によらず切断部を駆動部に取付け、鋼管杭を切断することができるという効果を奏する。
【００５２】
請求項５記載の鋼管杭切断装置によれば、請求項１〜４の何れかに記載の鋼管杭切断装置の奏する効果に加えて、切断部は、切断刃を複数有するので、鋼管杭を切断する切断効率が高いという効果を奏する。
【００５３】
請求項６記載の鋼管杭切断装置によれば、請求項１〜５の何れかに記載の鋼管杭切断装置の奏する効果に加えて、切断刃を複数有するので、切断効率が良いという効果を奏する。
【００５４】
請求項７記載の鋼管杭切断装置によれば、請求項１〜６の何れかに記載の鋼管杭切断装置の奏する効果に加えて、切断部には、切断刃により形成されたバリを除去するバリ取り機構を備えているので、回転しながらバリを取り除くことができ、より削りカスが生じることがないという効果を奏する。
【００５５】
請求項８記載の鋼管杭切断装置によれば、請求項７記載の鋼管杭切断装置の奏する効果に加えて、バリ取り機構はローラ形状であるので、バリを周壁に押さえつけて取り除くことができるという効果を奏する。
【００５６】
請求項９記載の鋼管杭切断装置によれば、請求項７記載の鋼管杭切断装置の奏する効果に加えて、バリ取り機構は切削バイト形状であるので、バリ取り機構が切断刃を兼用することができ、切断効率が良いという効果を奏する。
【００５７】
請求項１０記載の鋼管杭切断装置によれば、請求項５記載の鋼管杭切断の奏する効果に加えて、切断刃はソロバン玉状であるので、回転体の回転に伴って鋼管杭の周壁を転動することができ、鋼管杭はこの転動に伴って切断されるので、切断する際の切断の際はより消音で、削りカスも生じることが少ないという効果を奏する。
【００５８】
請求項１１記載の鋼管杭切断装置によれば、請求項５記載の鋼管杭切断装置の奏する効果に加えて、切断刃は切削バイトであるので、切削性を向上でき、バリ発生の抑制することができるという効果を奏する。
【図面の簡単な説明】
【図１】本発明の実施例１の鋼管杭切断装置を示す斜視図である。
【図２】上記実施例１の支持部を鋼管杭に取付けた状態を示す斜視図である。
【図３】上記実施例１の支持部上に駆動部を取付けた状態を示す斜視図である。
【図４】上記実施例１の切断部の下面側を示す斜視図である。
【図５】上記実施例１の切断部の状面側を示す斜視図である。
【図６】上記実施例１の切断刃の形状を示す正面図である。
【図７】上記実施例１の鋼管杭切断装置を鋼管杭に取付けた状態を示す斜視図である。
【図８】図７の鋼管杭切断装置の上面図である。
【図９】実施例２の鋼管杭切断装置の切断部を示す斜視図である。
【図１０】実施例３の鋼管杭切断装置の切断部を示す斜視図である。
【図１１】駆動部にチェーンを用いた鋼管杭切断装置を示す斜視図である。
【符号の説明】
１０    支持部
１１    基台
１２    固定具
１３    係合突起物
２０    駆動部
２１    回転体
２２    ギヤードモータ
２３    突起物
２４    挿通孔
２５    小径の歯車
２６    チェーン
３０    切断部
３１    長孔
３２    切断刃
３３    位置調整機構
３４    支持ローラ（バリ取り機構）
３５    取付具
３６    切削バイト
１００  鋼管杭切断装置
１０１  鋼管杭
１０２  周壁
【図１】
2004230491.tif 000003
【図２】
2004230491.tif 000004
【図３】
2004230491.tif 000005
【図４】
2004230491.tif 000006
【図５】
2004230491.tif 000007
【図６】
2004230491.tif 000008
【図７】
2004230491.tif 000009
【図８】
2004230491.tif 000010
【図９】
2004230491.tif 000011
【図１０】
2004230491.tif 000012
【図１１】
2004230491.tif 000013